(57)【要約】【課題】  電池残量が減った場合においても、機器の動作時間を延長させることができる折り畳み式携帯通信端末を得、携帯通信端末の携帯性を向上させる。【解決手段】  操作部１３が備えられた下側本体ユニット１５と、操作部１３の入力に対する操作にて発生するデータを表示するためのメイン表示装置１７、メイン表示装置１７の反対面に設置されるサブ表示装置１９が備えられた上側本体ユニット２１と、下側本体ユニット１５と上側本体ユニット２１とを開閉・回転自在に連結する２軸ヒンジユニット２３とを具備した折り畳み式携帯通信端末１００において、下側本体ユニット１５に設けた操作部１３と上側本体ユニット２１に設けたサブ表示装置１９とを同一面に配置可能とし、かつ操作部１３の入力に対する操作にて発生するデータ表示をサブ表示装置１９にて可能とした。【選択図】図１
2006165997.tif 000002
【特許請求の範囲】
【請求項１】
主たる操作機能を担う複数の入力装置を持つ操作部が備えられた下側本体ユニットと、
前記操作部の入力に対する操作にて発生する操作情報処理及び通信処理に伴なうデータを表示するためのメイン表示装置、該メイン表示装置の反対面に設置され該メイン表示装置より低消費電力であるサブ表示装置が備えられた上側本体ユニットと、
前記下側本体ユニットと該上側本体ユニットとを開閉・回転自在に連結する２軸ヒンジユニットとを具備した折り畳み式携帯通信端末において、
前記２軸ヒンジユニットを作動させることにより、前記下側本体ユニットに設けられた操作部と前記上側本体ユニットに設けられた前記サブ表示装置とが同一面に配置され、かつ前記操作部の入力に対する操作にて発生する操作情報処理及び通信処理に伴なうデータ表示が前記サブ表示装置にて可能となったことを特徴とする折り畳み式携帯通信端末。
【請求項２】
請求項1記載の折り畳み式携帯通信端末において、
システム全体のコントロールを可能とする制御部を有し、
記憶装置に格納された情報を検索／参照する機能のみを操作可能とする検索／参照限定操作手段を具備したことを特徴とする折り畳み式携帯通信端末。
【請求項３】
請求項1に記載の折り畳み式携帯通信端末において、
システム全体のコントロールを可能とする制御部を有し、
パケット通信機能の動作のみを操作可能とするパケット通信限定操作手段を具備したことを特徴とする折り畳み式携帯通信端末。
【請求項４】
請求項1に記載の折り畳み式携帯通信端末において、
システム全体のコントロールを可能とする制御部を有し、
記憶装置に格納された情報を検索／参照する機能、及び音声通信機能の動作のみを操作可能とする検索／参照・音声通信限定操作手段を具備したことを特徴とする折り畳み式携帯通信端末。
【請求項５】
請求項1に記載の折り畳み式携帯通信端末において、
前記上側本体ユニットに設けられた前記サブ表示装置と同一面に設けられるスピーカが、前記２軸ヒンジユニットの反対側となる上側本体ユニット端部に配置されたことを特徴とする折り畳み式携帯通信端末。
【請求項６】
請求項２、３又は４のいずれか１項記載の折り畳み式携帯通信端末において、
システム全体のコントロールを可能とする制御部と、
駆動電源を供給する電池と、
該電池の電池残量を検出する電池残量検出部と、
該電池残量検出部での検出値が予め設定した電池残量値より小さいときに前記制御部に電池残量低下信号を出力する電池残量通知手段とを備え、
前記電池残量低下信号の入力に応じて前記制御部が、前記操作部の入力に対する操作にて発生する操作情報処理及び通信処理に伴なうデータ表示を前記メイン表示装置から前記サブ表示装置へ切り替えることを特徴とする折り畳み式携帯通信端末。
【発明の詳細な説明】
【技術分野】
【０００１】
本発明は、主として携帯電話やＰＨＳに代表される携帯通信端末に関し、特に操作部とメイン表示装置とサブ表示装置とを備えた折り畳み式携帯通信端末に関する。
【背景技術】
【０００２】
従来、携帯電話やＰＨＳなどの携帯通信端末においては、操作部としてボタン・スクロールキー等といった入力装置と、液晶ディスプレイなどの表示装置とが設けられている。特に、折り畳み式携帯通信端末では、操作部を備えた下側本体ユニットと、メイン表示装置とサブ表示装置といった具合に２つの表示装置を備えた上側本体ユニットとからなり、これら上側本体ユニットと下側本体ユニットとは２軸のヒンジユニットからなるヒンジ機構により、開閉自在かつ回転自在に連結結合されたものがある。
【０００３】
例えば下記特許文献１に開示される折り畳み式携帯通信端末は、操作部を備えた下側本体ユニットと表示部を備えた上側本体ユニットとを開閉自在、かつ、回転自在に接続結合するための２軸のヒンジユニットを備える。
この２軸式ヒンジ機構は、一方の開閉回転軸を中心としてユニットを回転させて、下側本体ユニットと上側本体ユニットとを開状態とするとともに、この位置からヒンジユニットを他方の水平回転軸を中心として回転させて、上側本体ユニットを左回りまたは右回りに回転移動可能としている。
【０００４】
【特許文献１】特開２００３−３０４３１６号公報
【発明の開示】
【発明が解決しようとする課題】
【０００５】
しかしながら、従来の折り畳み式携帯通信端末では、ユーザーが行なう殆どの操作により発生する操作情報処理及び通信処理に伴なうデータ表示はメイン表示装置に表示されており、サブ表示装置が受け持つ表示内容は、メイン表示装置が受け持つ表示内容と比較すると非常に乏しく、日時表示、電池残量、電波状況、音声着信あり、伝言メッセージあり、メール着信あり等のごく限られた一部の情報量しか表現できない。
また、サブ表示装置に表示される情報内容の切り替えには、操作部のキー入力で対応するが、対応するボタンが非常に少なく、サブ表示装置は殆ど使用されておらず、サブ表示装置を用いての携帯通信端末として一連の操作は不可能という課題があった。
【０００６】
さらに、従来の折り畳み式携帯通信端末では、本体に配備されている電池の電池残量が減り、例えば外出先などにおける電池の充電環境に恵まれない状況下においては、携帯通信端末の待ち受け／動作時間を延長させたい要請があるが、携帯通信端末を使用する場合、２面備えてある表示装置のうち低消費電力であるサブ表示装置ではなく消費電流の多いメイン表示装置を駆動させており、電池残量が減ってからの携帯通信端末の待ち受け／動作時間が急速に短くなり、気を配る必要があった。
【０００７】
本発明は上記状況に鑑みてなされたもので、電池残量が減った場合においても、機器の動作時間を延長させることができる折り畳み式携帯通信端末を提供し、もって、携帯性の向上を図ることを目的とする。
【課題を解決するための手段】
【０００８】
上記目的を達成するための本発明に係る折り畳み式携帯通信端末は、主たる操作機能を担う複数の入力装置を持つ操作部が備えられた下側本体ユニットと、前記操作部の入力に対する操作にて発生する操作情報処理及び通信処理に伴なうデータを表示するためのメイン表示装置、該メイン表示装置の反対面に設置され該メイン表示装置より低消費電力であるサブ表示装置が備えられた上側本体ユニットと、前記下側本体ユニットと該上側本体ユニットとを開閉・回転自在に連結する２軸ヒンジユニットとを具備した折り畳み式携帯通信端末において、前記２軸ヒンジユニットを作動させることにより、前記下側本体ユニットに設けられた操作部と前記上側本体ユニットに設けられた前記サブ表示装置とが同一面に配置され、かつ前記操作部の入力に対する操作にて発生する操作情報処理及び通信処理に伴なうデータ表示が前記サブ表示装置にて可能となったことを特徴とする。
【０００９】
この折り畳み式携帯通信端末では、上側本体ユニットと下側本体ユニットとを開閉自在かつ回転自在に連結する２軸ヒンジユニットによって、下側本体ユニットに配備した操作部に対し、上側本体ユニットのサブ表示装置が同一面に配置可能となる。
したがって、操作部の入力操作にて発生する操作情報処理及び通信処理に伴なうデータ表示がサブ表示装置にて可能となり、サブ表示装置を用いた携帯通信機器の操作が実現される。
これにより、上側本体ユニットに備えたサブ表示装置の表示内容を確認しながら、下側本体ユニットの操作部からの入力による一連の操作が実現され、電池残量が減った場合においても、機器の動作時間の延長が可能となる。
【００１０】
また、本発明に係る折り畳み式携帯通信端末は、請求項1記載の折り畳み式携帯通信端末において、システム全体のコントロールを可能とする制御部を有し、記憶装置に格納された情報を検索／参照する機能のみを操作可能とする検索／参照限定操作手段を具備したことを特徴とする。
【００１１】
この折り畳み式携帯通信端末では、携帯通信端末に格納された電話帳やメールアドレスといった情報の検索／参照だけが行えるようになり、携帯通信端末の機能が限定され、携帯通信端末が電話帳としてのみに活用可能となって、低消費電力が実現される。
【００１２】
さらに、本発明に係る折り畳み式携帯通信端末は、請求項1に記載の折り畳み式携帯通信端末において、システム全体のコントロールを可能とする制御部を有し、パケット通信機能の動作のみを操作可能とするパケット通信限定操作手段を具備したことを特徴とする。
【００１３】
この折り畳み式携帯通信端末では、パケット通信などの非音声サービス機能だけが使えるようになり、携帯通信端末の機能が限定され、携帯通信端末がパケット通信端末としてのみに活用可能となって、低消費電力が実現される。
【００１４】
そして、本発明に係る折り畳み式携帯通信端末は、システム全体のコントロールを可能とする制御部を有し、記憶装置に格納された情報を検索／参照する機能、及び音声通信機能の動作のみを操作可能とする検索／参照・音声通信限定操作手段を具備したことを特徴とする。
【００１５】
この折り畳み式携帯通信端末では、携帯通信端末に格納された電話帳やメールアドレスといった情報の検索／参照、音声通信サービスの機能だけが使えるようになり、携帯通信端末の機能が限定され、携帯通信端末が電話帳及び通話端末としてのみに活用可能となって、低消費電力が実現される。
【００１６】
また、本発明に係る折り畳み式携帯通信端末は、前記上側本体ユニットに設けられた前記サブ表示装置と同一面に設けられるスピーカが、前記２軸ヒンジユニットの反対側となる上側本体ユニット端部に配置されたことを特徴とする。
【００１７】
この折り畳み式携帯通信端末では、サブ表示装置を表側にして上側本体ユニットが折り畳まれた際、スピーカがサブ表示装置を挟んで２軸ヒンジユニットの反対側に配置され、通常の使用時にはユーザーに着信音などの音響効果を機器外部に向けて発するスピーカが、レシーバーの受話部として最適位置に配置されることになり、折り畳み式携帯通信端末がレシーバーとして使用された場合の快適な音声通信が実現可能となる。
【００１８】
さらに、本発明に係る折り畳み式携帯通信端末は、システム全体のコントロールを可能とする制御部と、駆動電源を供給する電池と、該電池の電池残量を検出する電池残量検出部と、該電池残量検出部での検出値が予め設定した電池残量値より小さいときに前記制御部に電池残量低下信号を出力する電池残量通知手段とを備え、前記電池残量低下信号の入力に応じて前記制御部が、前記操作部の入力に対する操作にて発生する操作情報処理及び通信処理に伴なうデータ表示を前記メイン表示装置から前記サブ表示装置へ切り替えることを特徴とする。
【００１９】
この折り畳み式携帯通信端末では、電池残量が減ったことを検出した以降、消費電流の多いメイン表示装置ではなく、低消費電力のサブ表示装置を用いて機器の操作が行なえ、電池を充電できない外出先などにおいても機器の駆動時間が延長され、電池切れによる不動状態に陥る度合いが低減される。
換言すれば、電池の小型軽量化が可能となり、携帯通信端末が小型軽量化されて、携帯性が向上されることにもなる。
【発明の効果】
【００２０】
そして、本発明に係る折り畳み式携帯通信端末によれば、２軸ヒンジユニットを作動することにより、操作部とサブ表示装置とを同一面に配置し、操作部の入力操作にて発生する操作情報処理及び通信処理に伴なうデータ表示をサブ表示装置にて可能にしたので、電池残量が減った場合においても、メイン表示装置より低消費電力であるサブ表示装置を用いた操作を可能とし、機器の動作時間を延長させることができる。
この結果、折り畳み式携帯通信端末の携帯性を向上させることができる。
【発明を実施するための最良の形態】
【００２１】
以下、本発明に係る折り畳み式携帯通信端末の好適な実施形態を図面を参照して説明する。
図１は本発明に係る折り畳み式携帯通信端末の上側本体ユニットを下側本体ユニットに対して開くように回転移動させた開状態の斜視図、図２は図１に示した折り畳み式携帯通信端末の上側本体ユニット及び下側本体ユニットの回転なしでの閉状態の斜視図、図３は図１の開状態から下側本体ユニットに対して上側本体ユニットを左または右側に１８０°回転移動させた状態の斜視図、図４は図３の状態から下側本体ユニットに対して上側本体ユニットを折り畳んだ状態の斜視図である。
【００２２】
この実施形態では、折り畳み式携帯通信端末が携帯電話機である場合を例に説明する。なお、本発明に係る折り畳み式携帯通信端末は、この他、ＰＤＡ、無線機、モバイル型のＰＣ、ノート型ＰＣなどであってもよい。
【００２３】
この実施形態による折り畳み式携帯通信端末１００は、主たる操作機能を担う複数の入力装置１１を持つ操作部１３が備えられた下側本体ユニット１５と、操作部１３の入力に対する操作にて発生する操作情報処理及び通信処理に伴なうデータを表示するためのメイン表示装置１７、このメイン表示装置１７の反対面に設置されるサブ表示装置１９が備えられた上側本体ユニット２１と、下側本体ユニット１５と上側本体ユニット２１とを開閉・回転自在に連結する２軸ヒンジユニット２３とを有している。
【００２４】
２軸ヒンジユニット２３は、一方の開閉回転軸Ａ１を中心として上側本体ユニット２１と下側本体ユニット１５とを相対回転させて、図１に示すように下側本体ユニット１５と上側本体ユニット２１とを開状態とするとともに、この位置から他方の水平回転軸Ａ２を中心として上側本体ユニット２１を回転させて、上側本体ユニット２１を左回りまたは右回りに回転移動可能としている。
【００２５】
したがって、折り畳み式携帯通信端末１００は、図１に示す状態から折り畳まれればサブ表示装置１９が外側に表出する図２に示す状態となり、図１に示す状態から上側本体ユニット２１が１８０度回転されれば、サブ表示装置１９が操作部１３に対して屈曲する連続同一面（以下、単に「同一面」と称す。）上で位置する図３に示す状態となり、図３に示す状態から折り畳まれればメイン表示装置１７が外側に表出する図４に示す状態となる。
【００２６】
ただし、上側本体ユニット２１に備えたサブ表示装置１９は、ＳＴＮや反射型、或いは小画面サイズであり、メイン表示装置１７より低消費電力で表示駆動が可能な構成となっている。
【００２７】
この他、上側本体ユニット２１には第１のスピーカ２５、第２のスピーカ２７が設けられ、下側本体ユニット１５にはマイクロホン２９、駆動電源を供給する電池３１が設けられる。
【００２８】
図５は図１に示した折り畳み式携帯通信端末の基本構成を表したブロック図である。
折り畳み式携帯通信端末１００は、上記の構成に加えて、ユーザーにより登録される例えば電話帳データなどを記憶する記憶装置３３と、電池３１の電池残量を検出する手段を有した電池残量検出部３５と、音声通信や非音声通信を可能とする手段を有した無線装置３７と、これら入力装置１１、メイン表示装置１７、サブ表示装置１９、記憶装置３３、電池３１、電池残量検出部３５及び無線装置３７を制御する制御部である制御装置３９とを有している。
【００２９】
制御装置３９は、ユーザーによる操作部１３からの操作信号の入力によって、操作部１３の入力に対する操作にて発生する操作情報処理及び通信処理に伴なうデータ表示を、メイン表示装置１７からサブ表示装置１９へ切り替える表示切り替え制御を可能としている。
すなわち、２軸ヒンジユニット２３を作動させることにより、下側本体ユニット１５に設けられた操作部１３と上側本体ユニット２１に設けられたサブ表示装置１９とを同一面に配置し、かつ、操作部１３の入力に対する操作にて発生する操作情報処理及び通信処理に伴なうデータ表示を、サブ表示装置１９にて表示させることができるようになっている。
【００３０】
これにより、ユーザーが、上側本体ユニット２１に備えたサブ表示装置１９の表示内容を確認しながら、下側本体ユニット１５に備えられた操作部１３からの入力により、一連の操作を行える。
つまり、操作部１３の入力操作にて発生する操作情報処理及び通信処理に伴なうデータ表示が、２面備えてある表示装置のうち、消費電流の多いメイン表示装置１７を使用せずに、低消費電力であるサブ表示装置１９を使用して行えるようになっている。
【００３１】
したがって、上記の折り畳み式携帯通信端末１００によれば、２軸ヒンジユニット２３を作動することにより、操作部１３とサブ表示装置１９とを同一面に配置し、操作部１３の入力操作にて発生する操作情報処理及び通信処理に伴なうデータ表示をサブ表示装置１９にて可能にしたので、電池残量が減った場合においても、メイン表示装置１７より低消費電力であるサブ表示装置１９を用いた操作を可能とし、機器の動作時間を延長させることができる。
この結果、折り畳み式携帯通信端末１００の携帯性を向上させることができる。
【００３２】
図６は制御部の詳細構成を表したブロック図である。
また、制御部である制御装置３９は、ＣＰＵ４１と、検索／参照限定操作手段４３と、パケット通信限定操作手段４５と、検索／参照・音声通信限定操作手段４７と、電池残量通知手段４９とを備えることが好ましい。
これら検索／参照限定操作手段４３、パケット通信限定操作手段４５、検索／参照・音声通信限定操作手段４７、電池残量通知手段４９は、例えば制御手順を規定したプログラムとして記憶装置３３等に格納することができる。
【００３３】
検索／参照限定操作手段４３は、ＣＰＵ４１を制御することにより、記憶装置３３に格納された情報を検索／参照する機能のみを操作可能とする。
したがって、検索／参照限定操作手段４３が作動されると、無線装置３７への給電を止めて低消費電力とした上で、携帯通信端末１００に格納された電話帳やメールアドレスといった情報の検索／参照だけが行えるようになる。
つまり、携帯通信端末１００の機能が限定され、携帯通信端末１００が電話帳としてのみに活用可能となって、低消費電力が実現される。また、折り畳み式携帯通信端末１００以外の通信機器を用いて任意の連絡先に情報を伝達できるようにもなる。
【００３４】
パケット通信限定操作手段４５は、ＣＰＵ４１を制御することにより、パケット通信機能の動作のみを操作可能とする。
したがって、音声通信が不要の場合、パケット通信限定操作手段４５が作動されると、無線装置３７の非音声通信機能のみが有効とされ、Ｗｅｂ閲覧／メールの作成や送受信といった非音声サービス機能に対応可能となる。
これにより、携帯通信端末１００の機能が限定され、携帯通信端末１００がパケット通信端末としてのみに活用可能となって、低消費電力が実現される。
【００３５】
検索／参照・音声通信限定操作手段４７は、ＣＰＵ４１を制御することにより、記憶装置３３に格納された情報を検索／参照する機能、及び音声通信機能の動作のみを操作可能とする。
したがって、検索／参照・音声通信限定操作手段４７が作動されると、携帯通信端末１００に格納された電話帳やメールアドレスといった情報の検索／参照、音声通信サービスの機能だけが使えるようになり、携帯通信端末１００の機能が限定され、携帯通信端末１００が電話帳及び通話端末としてのみに活用可能となって、低消費電力が実現される。
【００３６】
電池残量通知手段４９は、ＣＰＵ４１を制御することにより、電池残量検出部３５での検出値が予め設定した電池残量値より小さいときに、ＣＰＵ４１に電池残量低下信号を出力する。
一方、ＣＰＵ４１は、電池残量低下信号の入力があると、操作部１３の入力に対する操作にて発生する操作情報処理及び通信処理に伴なうデータ表示を、メイン表示装置１７からサブ表示装置１９へ切り替える表示切り替え制御を行う。ＣＰＵ４１は、この他の低消費モード、すなわち、上記した種々の機能限定動作モードに切り替える。機能限定動作モードでは、サブ表示装置１９による表示と、各種の機能限定動作とが同時に実行されてもよい。
【００３７】
したがって、電池残量通知手段４９が作動され、電池残量が減ったことを検出した以降、消費電流の多いメイン表示装置１７ではなく、低消費電力のサブ表示装置１９を用いて機器の操作が行なえ、電池３１を充電できない外出先などにおいても機器の駆動時間が延長され、電池切れによる不動状態に陥る度合いが低減される。
換言すれば、電池３１の小型軽量化が可能となり、携帯通信端末１００が小型軽量化されて、携帯性が向上されることにもなる。
【００３８】
なお、折り畳み式携帯通信端末１００は、上側本体ユニット２１に設けられたサブ表示装置１９と同一面に設けられる第２のスピーカ２７が、２軸ヒンジユニット２３の反対側となる上側本体ユニット端部に配置されることが好ましい。
このような配置構成とすることで、図２に示すように、サブ表示装置１９を表側にして上側本体ユニット２１が折り畳まれた際、第２のスピーカ２７がサブ表示装置１９を挟んで２軸ヒンジユニット２３の反対側に配置され、通常の使用時にはユーザーに着信音などの音響効果を機器外部に向けて発する第２のスピーカ２７が、レシーバーの受話部として最適位置に配置されることになる。この結果、折り畳み式携帯通信端末１００が、レシーバーとして使用された場合の快適な音声通信が実現可能となる。
【図面の簡単な説明】
【００３９】
【図１】本発明に係る折り畳み式携帯通信端末の上側本体ユニットを下側本体ユニットに対して開くように回転移動させた開状態の斜視図である。
【図２】図１に示した折り畳み式携帯通信端末の上側本体ユニット及び下側本体ユニットの回転なしでの閉状態の斜視図である。
【図３】図１の開状態から下側本体ユニットに対して上側本体ユニットを左または右側に１８０°回転移動させた状態の斜視図である。
【図４】図３の状態から下側本体ユニットに対して上側本体ユニットを折り畳んだ状態の斜視図である。
【図５】図１に示した折り畳み式携帯通信端末の基本構成を表したブロック図である。
【図６】制御部の詳細構成を表したブロック図である。
【符号の説明】
【００４０】
１１  入力装置
１３  操作部
１５  下側本体ユニット
１７  メイン表示装置
１９  サブ表示装置
２１  上側本体ユニット
２３  ２軸ヒンジユニット
２７  第２のスピーカ（スピーカ）
３１  電池
３３  記憶装置
３５  電池残量検出部
３９  制御装置（制御部）
４３  検索／参照限定操作手段
４５  パケット通信限定操作手段
４７  検索／参照・音声通信限定操作手段
４９  電池残量通知手段
１００  折り畳み式携帯通信端末
【図１】
2006165997.tif 000003
【図２】
2006165997.tif 000004
【図３】
2006165997.tif 000005
【図４】
2006165997.tif 000006
【図５】
2006165997.tif 000007
【図６】
2006165997.tif 000008